(57)【要約】【課題】支持シートの前面に対する収納ポケットの取り付け位置を使用者が自由に変更し得るようになし、使用者が収納ポケットのレイアウトを楽しむことができるようにした物品収納具を提供する。【解決手段】支持シート（１）と多数個の収納ポケット（３）とよりなり、該支持シートにはその前面に面ファスナーの係合面（５）を備えさせ、各収納ポケットの背面には支持シートにおける面ファスナーの係合面に対応する面ファスナーの対応係合面（７）を備えさせ、収納ポケットにおける面ファスナーの対応係合面を支持シートにおける面ファスナーの係合面に係合させることにより、所望の収納ポケットを支持シートの前面における所望の位置に着脱自在に取り付けるようにしたことを特徴とする物品収納具。【選択図】図１
2006034549.tif 000002
【特許請求の範囲】
【請求項１】
支持シートと多数個の収納ポケットとよりなり、
該支持シートにはその前面に面ファスナーの係合面を備えさせ、
各収納ポケットの背面には支持シートにおける面ファスナーの係合面に対応する面ファスナーの対応係合面を備えさせ、
収納ポケットにおける面ファスナーの対応係合面を支持シートにおける面ファスナーの係合面に係合させることにより、所望の収納ポケットを支持シートの前面における所望の位置に着脱自在に取り付けるようにしたことを特徴とする物品収納具。
【請求項２】
支持シートの前面に面ファスナーの係合面を備えさせ、
物品の背面には支持シートにおける面ファスナーの係合面に対応する面ファスナーの対応係合面を備えさせ、
物品における面ファスナーの対応係合面を支持シートにおける面ファスナーの係合面に係合させることにより、物品を支持シートの前面における所望の位置に着脱自在に取り付けるようにしたことを特徴とする物品収納具。
【発明の詳細な説明】
【技術分野】
【０００１】
本発明は、物品収納具に関するものであり、例えば、
（イ）台所においては、ティッシュペーパー、包装用フィルム、調味料、スプーン、栓抜き等の物品を収納し、
（ロ）洗面所においては、歯磨き、歯ブラシ等の物品を収納し、
（ハ）居間においては、テレビ用リモートコントローラー、眼鏡、自動車のキー等の物品を収納するようにした、
物品収納具に係るものである。
【背景技術】
【０００２】
実用新案登録第３０８０６８２号公報は、買い物用ビニール袋の整理収納ケース（以下「従来の収納ケース」という。）を開示している。
【０００３】
従来の収納ケースは、上縁に取り付け穴を備えた取り付け板の前面には複数個の収納ポケットを備えさせ、各収納ポケットには上端に押し込み口を設けると共に下端に取り出し口を設けてなるものである。
【０００４】
従来の収納ケースは、取り付け板の上縁に備えさせた取り付け穴を介して、壁面等に固定し、各収納ポケットには上端の押し込み口よりビニール袋を押し込み、ビニール袋の必要時には各収納ポケット下端の取り出し口よりビニール袋を取り出すようにしている。
【特許文献１】実用新案登録第３０８０６８２号公報
【発明の開示】
【発明が解決しようとする課題】
【０００５】
しかるに、上記従来の収納ケースにおいては、各収納ポケットは予め取り付け板の前面における所定の位置に固着されており、使用者が各収納ポケットの位置を変えることはできない。
【０００６】
本発明は、支持シートの前面に対する収納ポケットの取り付け位置を使用者が自由に変更し得るようになし、使用者が収納ポケットのレイアウトを楽しむことができるようにした物品収納具を提供しようとしてなされたものである。
【課題を解決するための手段】
【０００７】
上記課題を解決するために、本発明は、下記の物品収納具を提供するものである。
【０００８】
（１）支持シートと多数個の収納ポケットとよりなり、
該支持シートにはその前面に面ファスナーの係合面を備えさせ、
各収納ポケットの背面には支持シートにおける面ファスナーの係合面に対応する面ファスナーの対応係合面を備えさせ、
収納ポケットにおける面ファスナーの対応係合面を支持シートにおける面ファスナーの係合面に係合させることにより、所望の収納ポケットを支持シートの前面における所望の位置に着脱自在に取り付けるようにしたことを特徴とする物品収納具（請求項１）。
【０００９】
（２）支持シートの前面に面ファスナーの係合面を備えさせ、
物品の背面には支持シートにおける面ファスナーの係合面に対応する面ファスナーの対応係合面を備えさせ、
物品における面ファスナーの対応係合面を支持シートにおける面ファスナーの係合面に係合させることにより、物品を支持シートの前面における所望の位置に着脱自在に取り付けるようにしたことを特徴とする物品収納具（請求項２）。
【発明の効果】
【００１０】
［請求項１の発明］
支持シートはその前面に面ファスナーの係合面を備えており、収納ポケットは多数個が用意されているため、使用者は、多数個の収納ポケットの中から選択した所望の収納ポケットを支持シートの前面における所望の位置に容易に取り付けることができる。また、使用者は、支持シートの前面における収納ポケットの取り付け位置を容易に変更し、或いは支持シートに取り付けられた収納ポケットを別の収納ポケットと交換することもできる。即ち、使用者は、収納すべき物品の種類、物品収納具の使用場所等に応じて、収納ポケットを自由に選択し、収納ポケットのレイアウトを自由に楽しむことができる。収納ポケットには所望の物品が収納される。
【００１１】
［請求項２の発明］
請求項２の発明においては、物品は、収納ポケットを介することなく、直接に支持シートに取り付けられる。即ち、使用者は、背面に面ファスナーの対応係合面を備えた所望の物品を支持シートの前面における所望の位置に容易に取り付けることができる。また、使用者は、支持シートの前面における物品の取り付け位置を容易に変更し、或いは支持シートに取り付けられた物品を別の物品と交換することもできる。即ち、使用者は、支持シートにおける物品のレイアウトを自由に楽しむことができる。
【発明を実施するための最良の形態】
【００１２】
図１〜図３に示す事例について説明する。
【００１３】
この事例における物品収納具は、支持シート１と多数個の収納ポケット３、３・・・とよりなる。
【００１４】
各収納ポケット３の大きさ、形状、材質等は随意であるが、各収納ポケット３は物品の出し入れ口３ａを有する。各収納ポケット３は、一例として、網状体により形成し、該収納ポケット３内に収納された物品が外部から見えるようにしてもよい。
【００１５】
支持シート１にはその前面に面ファスナーの係合面５を備えさせる。面ファスナーの係合面５は、一例として、面ファスナーのループ部とする。
【００１６】
面ファスナーの係合面５は、支持シート１の前面におけるほぼ全部に備えさせてもよいが、支持シート１の前面に例えば縦又は横のストライプ状に配設しても差し支えない（図４、図５参照）。
【００１７】
各収納ポケット３の背面には支持シート１における面ファスナーの係合面５に対応する面ファスナーの対応係合面７を備えさせる。面ファスナーの対応係合面７は、一例として、面ファスナーのフック部とする。
【００１８】
収納ポケット３における面ファスナーの対応係合面７を支持シート１における面ファスナーの係合面５に係合させることにより、所望の収納ポケット３を支持シート１の前面における所望の位置に着脱自在に取り付ける。
【００１９】
図示の支持シート１は、上縁を背面側に折り返して折返し部９を形成している。この事例においては、折返し部９における面ファスナーの係合面５は支持シート１の背面側に位置するのであるが、該係合面５に対応する面ファスナーの対応係合面１１を壁部等の支持体１３に取り付け、該対応係合面１１に折返し部９における面ファスナーの係合面５を係合させることにより、支持シート１を支持体１３に支持させている。面ファスナーの対応係合面１１は、一例として、面ファスナーのフック部とする。
【００２０】
なお、支持シート１は、例えば磁石、鋲、ピン等により、支持体１３に取り付けても差し支えない。
【００２１】
次に、図４〜図７に示す事例について説明する。
【００２２】
この事例においても、支持シート１の前面に面ファスナーの係合面５を備えさせる。面ファスナーの係合面５は、一例として、面ファスナーのループ部とする。
【００２３】
面ファスナーの係合面５は、支持シート１の前面におけるほぼ全部に備えさせてもよいが、図４、図５に示すように、支持シート１の前面に例えば縦又は横のストライプ状に配設しても差し支えない。
【００２４】
物品１５の背面には支持シート１における面ファスナーの係合面５に対応する面ファスナーの対応係合面７を備えさせる。面ファスナーの対応係合面７は、一例として、面ファスナーのフック部とする。
【００２５】
図５、図６における物品１５は、ティッシュペーパー収納ケースである。一例として、表面に面ファスナーの対応係合面７を備えた伸縮する環状帯１７を、該対応係合面７がティッシュペーパー収納ケースの背面１５ａに位置するように、嵌着する。
【００２６】
物品１５における面ファスナーの対応係合面７を支持シート１における面ファスナーの係合面５に係合させることにより、物品１５を支持シート１の前面における所望の位置に着脱自在に取り付ける。
【図面の簡単な説明】
【００２７】
【図１】本発明による物品収納具の一例を示す斜視図である。
【図２】収納ポケットの一例を示す斜視図である。
【図３】同上物品収納具の側面図である。
【図４】支持シートの別の一例を示す斜視図である。
【図５】支持シートの更に別の一例を示す斜視図である。
【図６】物品の一例としてのティッシュペーパー収納ケースを示す斜視図である。
【図７】ティッシュペーパー収納ケースと支持シートとの関係を示す側面図である。
【符号の説明】
【００２８】
１  支持シート
３  収納ポケット
３ａ  出し入れ口
５  係合面
７  対応係合面
９  折返し部
１１  対応係合面
１３  支持体
１５  物品
１５ａ  背面
１７  環状帯
【図１】
2006034549.tif 000003
【図２】
2006034549.tif 000004
【図３】
2006034549.tif 000005
【図４】
2006034549.tif 000006
【図５】
2006034549.tif 000007
【図６】
2006034549.tif 000008
【図７】
2006034549.tif 000009